(57)【要約】【課題】加熱調理器の前面に設けられたハンドルが、キッチン台の前面意匠に対して目立ってしまい、加熱調理器をキッチン台の意匠に調和させることが難しいという課題がある。【解決手段】上記の課題を解決する為には、加熱調理器において、本体ケースと、本体ケース内に設けられた加熱手段と、本体ケースの上部を覆う天板と、本体ケースの前面に開口部を有する収納庫と、収納庫の開口部を開閉する扉体を有し、扉体の下端には下方に向けて開口する手掛け部が設けられ、手掛け部の後側の壁面は扉体の前面より後側に位置するように構成する。これにより、扉体に手掛け部を構成するために突出させる部分を、より小さくすることができ、手掛け部を形成することによる扉体の前面の意匠への影響を小さくすることができる。【選択図】図４
2018017459.tif 000002
【特許請求の範囲】
【請求項１】
本体ケースと、
前記本体ケース内に設けられた加熱手段と、
前記本体ケースの上部を覆う天板と、
前記本体ケースの前面に開口部を有する収納庫と、
前記収納庫の開口部を開閉する扉体
を有し、
前記扉体の下端には下方に向けて開口する手掛け部が設けられ、該手掛け部の後側の壁面は扉体の前面より後側に位置することを特徴とする加熱調理器。
【請求項２】
前記手掛け部の後側の壁面の下端には、前側に突出する部位が形成されていることを特徴とする請求項１に記載の加熱調理器。
【請求項３】
前記扉体は、前パネルと後パネルから構成され、
前記前パネルは意匠面を構成し、前記後パネルは収納物を載せるトレイが接続することを特徴とする請求項１又は２のいずれかに記載の加熱調理器。
【発明の詳細な説明】
【技術分野】
【０００１】
本発明は、キッチン台に取り付けて用いられるビルトイン型の加熱調理器に関する。
【背景技術】
【０００２】
従来から、システムキッチンなどのキッチン台に取り付けて用いられるビルトイン型の加熱調理器がある。この様な加熱調理器は、キッチン台Ｋにおいて上方及び前方に開口する取り付け位置に、上方の開口から本体を挿入することにより取り付けられる。
【先行技術文献】
【特許文献】
【０００３】
【特許文献１】特開平８−６６３１９号公報
【発明の概要】
【発明が解決しようとする課題】
【０００４】
しかしながら、このような加熱調理器は、前面に開口する収納庫やグリルを開閉する為の扉には、開閉させるためのハンドルが突出して設けられている。
従って、加熱調理器の前面に設けられたハンドルが、キッチン台の前面意匠に対して目立ってしまい、加熱調理器をキッチン台の意匠に調和させることが難しいという課題がある。
【課題を解決するための手段】
【０００５】
本発明は上記の課題を解決する為のものであり、加熱調理器において、本体ケースと、本体ケース内に設けられた加熱手段と、本体ケースの上部を覆う天板と、本体ケースの前面に開口部を有する収納庫と、収納庫の開口部を開閉する扉体を有し、扉体の下端には下方に向けて開口する手掛け部が設けられ、手掛け部の後側の壁面は扉体の前面より後側に位置することにより、課題を解決することができる。
【発明の効果】
【０００６】
扉体に手掛け部を構成するために突出させる部分を、より小さくすることができ、手掛け部を形成することによる扉体の前面の意匠への影響を、小さくすることが可能となる。
【図面の簡単な説明】
【０００７】
【図１】加熱調理器の外観を示す斜視図
【図２】図１の加熱調理器の収納庫からトレイを手前に引いた状態を示す斜視図
【図３】図１の加熱調理器をキッチン台Ｋに取り付けた状態を示す斜視図
【図４】図３のＡ−Ａ断面図
【図５】図４の加熱調理器の収納庫からトレイを手前に引いた状態を示す断面図
【図６】扉体の外観を示す斜視図
【図７】扉体の外観を示す分解斜視図
【図８】扉体とトレイが接続した状態を示す斜視図
【図９】扉体とトレイの分解斜視図
【発明を実施するための形態】
【０００８】
実施の形態．
図１は本発明の実施の形態に係る加熱調理器の外観を示す斜視図、図２は図１の加熱調理器の収納庫からトレイを手前に引いた状態を示す斜視図、図３は図１の加熱調理器をキッチン台Ｋに取り付けた状態を示す斜視図、図４は図３にＡ−Ａ断面図（断面位置はおおよそ収納庫２０の左右中心を通る位置）、図５は図４の加熱調理器の収納庫からトレイを手前に引いた状態を示す断面図、図６は扉体の外観を示す斜視図、図７は扉体の外観を示す分解斜視図、図８は扉体とトレイが接続した状態を示す斜視図、図９は扉体とトレイの分解斜視図。
【０００９】
図１〜図２を参照すると、本実施の形態１に係る加熱調理器１００は、例えば、キッチン台Ｋに組み込まれて使用されるビルトイン型の誘導加熱調理器である。
加熱調理器１００は、本体ケース１と、天板２と、操作パネル４と、排気口５と、排気口５を覆う排気カバー６と、本体ケース１の後部に開口する吸気口７と、天板２の下に設置された加熱手段である誘導加熱コイル８と、誘導加熱コイル８よりも下方に設置され、本体ケース１の前面に開口部２１を有する収納庫２０と、収納庫２０の開口部２１を開閉する扉体３０とを備える。
【００１０】
天板２は、トッププレート２ａと枠体２ｂにより構成されている。トッププレート２ａは、例えば結晶化ガラスにより形成され、外周部に枠体２ｂが取り付けられている。トッププレート２ａと枠体２ｂとで本体ケース１の上部を覆っている。
トッププレート２には、本体ケース１内の左右に配置された誘導加熱コイル８にそれぞれ対応した部分に加熱部表示２ｃ、２ｄが表示されている。これら加熱部表示２ｃ、２ｄは、例えば、印刷等の表示で示されており、円形状を成している。
【００１１】
枠体２ｂは、例えばステンレスにより形成され、トッププレート２ａの外周部にシリコン系の接着剤等で固着されている。この枠体２ｂは、トッププレート２ａよりも手前側を前部枠体として操作パネル４が設けられており、トッププレート２よりも奥側を後部枠体として排気口５となる開口が形成されている。
【００１２】
操作パネル４には、加熱部表示２ｃ、２ｄに対応して、調理開始スイッチ、火力を設定するスイッチ、火力表示器等が設けられており、また、操作パネル４の中央部には、加熱調理器１００の電源を入り切りする電源スイッチが設けられている。
この操作パネル４は、本体ケース１の前部に設けられた操作表示ユニット（図示せず）を、前部枠体を介して覆っている。
【００１３】
排気カバー６は、左右に２分割された左排気カバー６ａと右排気カバー６ｂとで構成されている。左排気カバー６ａは、後部枠体上に取り外し自在に設置され、後部枠体に形成された排気口５を覆っている。右排気カバー６ｂは、後部枠体３ｂ上に取り外し自在に設置されている。
【００１４】
図２〜図５を参照すると、収納庫２０は、開口部２１から本体ケース１内の奥側に長く延びる箱形状に形成され、左右の側面板にそれぞれガイド溝２３が設けられている。ガイド溝２３は、収納庫２０内を前後方向に伸びる凹状の溝である。
収納庫２０の開口部２１は、扉体３０により開閉される。扉体３０の背面側には、小物を載せるトレイ２６が設けられる。扉体３０を引き出すことで、一体的にトレイ２６も収納庫２０の内部から引き出すことができる。
【００１５】
図８〜図９を参照すると、トレイ２６の左右の壁部には、ガイド溝２３にガイドされることでトレイ２６が前後方向に収納庫２０から出し入れ可能にするためのガイド受け部２６ａとガイドローラー２６ｂが設けられている。
ガイド受け部２６ａは、トレイ２６の左右壁部から突出するレール状の部位であり、ガイド溝２３内に入り込み、トレイ２６が収納庫２０の内部を前後に動く際に、ガイド溝２３にガイドされる。
【００１６】
ガイドローラー２６ｂは回転自在の部材であり、ガイド溝２３内に入り込み、トレイ２６が収納庫２０の内部を前後に動く際に、スムーズに動くことができるようにする為のものである。
この様に構成された収納庫２０には、トレイ２６にしゃもじ、へら、おろし金等の調理小物や、調味料が載せられることで、これらの物品が収納される。
【００１７】
図１〜図２を参照すると、扉体３０に隣接する化粧パネル２７は、本体ケース１の前面板１ａに固定されている。
扉体３０と化粧パネル２７は、キッチン台Ｋの正面に設けられた引出パネルと同一面上になるように設置され、キッチン台Ｋの正面の意匠と統一を図るために、キッチン台Ｋに設けられた引出パネルと同じ色、同じ材料により形成されている。
本体ケース１の化粧パネル２７側の内部には、基板ユニット（図示せず）が設置されている。この基板ユニットは、誘導加熱調理器の誘導加熱コイルや冷却ファン等の各電子部品を制御する。
【００１８】
次に、図４〜図９を参照して、扉体３０について詳しく説明する。
扉体３０は、前パネル３１と後パネル３２から構成される。
前パネル３１は、扉体３０の前面となり意匠面を構成する。前パネル３１は、キッチン台Ｋの正面の意匠と統一を図るために、キッチン台Ｋに設けられた引出パネルと同じ色、同じ材料により形成されている。
そして、前パネル３１は、前方から見た形状が矩形状を成しており、前面部３１ａの周縁から後方に向けて延びる上面部３１ｂと左面部３１ｄと右面部３１ｃを有すると共に、下方に向けて開口している。
【００１９】
また、前パネル３１は、下端３１ｅから所定の幅の部分が前方に突出する突出部３１ｆとすることで、前方に突出していない他の部分に比べ、前パネル３１の後側の空間が広くなるよう構成されている。突出部３１ｆの裏面３１１ｆは、使用者が扉体３０を開くときに指を掛ける部位となる。
尚、ここで言う前パネル３１の前方に突出する部分の所定の幅とは、下方向から前パネル３１の後側に指を入れた時に、その指が前パネル３１の後面に係ることができる程度の幅があればよい。
【００２０】
次に、後パネル３２は、扉体３０の後面となる。後パネル３２は、前方から見た形状が矩形状を成している。後パネル３２の大きさは、前パネル３１の大きさと比較して、左右の幅は若干小さく、上下の高さは大きく構成されている。
また、後パネル３２は、後方に向けて開口する後凹部３２ａ、及び、前方に向けて開口する前凹部３２ｂが形成されている。後凹部３２ａは、トレイ２６の前端が入り込み固定される部位である。前凹部３２ｂは、後述する手掛け部４０を形成する部位である。
【００２１】
尚、後凹部３２ａと前凹部３２ｂは、後パネル３２を隔てて上下の位置関係となっている。つまり、後凹部３２ａと前凹部３２ｂは、上下に重なる位置関係となるので、トレイ２６を固定する部位と前凹部３２ｂが前後方向に重ならず、後パネル３２の前後方向の厚さを小さくすることができる。これにより、扉体３０の前後方向の厚さを小さくすることができる。
更に、前凹部３２ｂは、前凹部３２ｂの底３２１ｂから、後パネル３２の下端３２ｅに至る部分は、前方に向けて下る傾斜部３２２ｂとなっている。つまり下端３２ｅは、底３２１ｂより前方に向けて突出した形状となっている。
【００２２】
以上のように構成された後パネル３２は、前パネル３１の後面に重なるように配置されて、ネジにより取り付け固定される。これにより、前パネル３１と後パネル３２が一体となって、扉体３０が形成される。
このとき、後パネル３２の上端と左端と右端は、前パネル３２の内側に入り込んだ状態となる。また、後パネル３２の下端３２ｅは、前パネル３１の下端３１ｅより下側に位置した状態となる。
【００２３】
更に、突出部３１ｆの後面３１１ｆと、前凹部３２ｂは、前後に向かい合う位置関係となる。また、前パネル３１と後パネル３２は、後面３１１ｆと前凹部３２ｂが向かい合った位置において、突き当たった状態で上面壁４１を形成する。
これにより、突出部３１ｆの後面３１１ｆと前凹部３２ｂと上面壁４１により形成される下方向に開口した部位が、手掛け部４０となる。つまり、手掛け部４０は、扉体３０の下端となる位置に形成される。
【００２４】
ここで、手掛け部４０の後側の壁面を構成する前凹部３２ｂの底３２１ｂは、突出部３１ｆの上側の前パネル３１より後側（本体１の内側）に位置する。つまり、扉体３０の前面より、手掛け部４０の後側の壁面は、後側に位置する。
そして、前パネル３１の下端３１ｅの下方には、後パネル３２の斜面部３２２ｂが位置する。つまり、斜面部３２２ｂは、加熱調理器１００を前方から見ると、前パネル３１と重ならない位置となると共に、手掛け部４０の後側の壁面（前凹部３２ｂの底３２１ｂ）より、前側に至る部位となっている。
【００２５】
以上のように構成された扉体３０には、後パネル３２の後凹部３２ａに、トレイ２６の前端が入り込み固定される。これにより、扉体３０の手掛け部４０に手を掛け、手前に引き出すことにより、扉体３０と一体となってトレイ２６を収納庫２０の内部から引き出すことができる。
【００２６】
そして、この様に構成された加熱調理器１００は、キッチン台Ｋの取り付け位置Ｐに取り付けられる。加熱調理器１００は、取り付け位置Ｐに取り付ける際に、取り付け位置Ｐの前方を向く開口の開口縁を構成するキッチン枠Ｗの前面に対して、扉体３０の前面である前パネル３１の前面が、前後方向にずれないように設置される。
つまり、加熱調理器１００が取り付け位置Ｐに正しく取り付けられた状態では、扉体３０の前面の法線と、キッチン枠Ｗの前面の法線が、一致した状態となる。
【００２７】
以上のように各部を構成することにより、次のような効果を得ることができる。
手掛け部４０の後側の壁面を構成する前凹部３２ｂの底３２１ｂは、突出部３１ｆの上側の前パネル３１より後側（本体１の内側）に位置する。
これにより、手掛け部４０を構成する為の空間を、前パネル３１より後側で広く確保することができる。従って、手掛け部４０を構成するための突出部３１ｆの前方への突出量を、より小さくすることができ、手掛け部４０を形成したことによる扉体３０の前面の意匠への影響を小さくすることができる。
【００２８】
また、前パネル３１の下端３２ｅの下方には、後パネル３２の斜面部３２２ｂが位置する。つまり、斜面部３２２ｂは、加熱調理器１００を前方から見ると、前パネル３１と重ならない位置となると共に、手掛け部４０の後側の壁面（前凹部３２ｂの底３２１ｂ）より、前側に突出する部位となっている。
これにより、キッチン台Ｋの取り付け位置Ｐに取り付けられた状態の加熱調理器１００において、傾斜部３２２ｂによりキッチン枠Ｗを隠すことができる。特に、使用者が加熱調理器１００の前側に位置して調理作業をする際の使用者からの視線において、キッチン枠Ｗの上面を隠すことができる。
【００２９】
また、手掛け部４０の入り口となる開口の後側が傾斜部３２２ｂとなっているので、手掛け部４０に手を掛けるときに、手を手掛け部４０の内部に入れやすい。
尚、手掛け部４０を用いて扉体３０開くには、前パネル３１の後面３１１ｆに指を掛け、手前に引くことにより扉体３０を開く。特に、手掛け部４０内に手を入れた際、斜面部３２２ｂが手の甲側から指を保持するので、扉体３０を引く際や、扉体３０外して手で持つ際に持ちやすい。
【００３０】
また、扉体３０を、意匠面となる前パネル３１と、収納物が載せられるトレイ２６と接続する後パネル３２との別々の部材に構成したので、キッチン台のデザインに応じて、容易に前パネル３１の交換を行うことができる。
【００３１】
本実施の形態では、収納庫２０は単に物品を収納する為のものを一例に説明したが、内部にヒーターを配置して、グリルスペースとしても良い。
【符号の説明】
【００３２】
１  本体ケース、２  天板、４  操作パネル、５  排気口、７  吸気口、２０  収納庫、２１  開口部、２３  ガイド部、２６  トレイ、３０  扉体、３１  前パネル、３２  後パネル、４０  手掛け部、１００  加熱調理器
【図１】
2018017459.tif 000003
【図２】
2018017459.tif 000004
【図３】
2018017459.tif 000005
【図４】
2018017459.tif 000006
【図５】
2018017459.tif 000007
【図６】
2018017459.tif 000008
【図７】
2018017459.tif 000009
【図８】
2018017459.tif 000010
【図９】
2018017459.tif 000011